(57)【特許請求の範囲】
【請求項１】
分析器用試料の準備方法であって、
隔膜（６）を備える試料容器（８）が、サンプラ（２）を備えるサンプリングステーションの抽出位置に入れられ、
試料チューブ（３３）に対して、前記試料容器（８）の方向に移動可能かつ保持器（１５）の端部に保持可能な受けチューブ（１８）と、前記受けチューブ（１８）内で終端し、前記受けチューブ（１８）によって移動可能とされた第１の注入器の針（２５）と、前記試料チューブ（３３）に保持され、かつ不活性ガス供給源に連結され、前記受けチューブ（１８）と共に移動可能な第２の注入器の針（２３）とを有して、前記試料容器（８）の上を移動可能とされた前記サンプラ（２）を、抽出位置で前記試料容器（８）の上に配置し、
両側が開口していて、検体の取込みのための充填材（３４）が内部に配置されている前記試料チューブ（３３）が、前記受けチューブ（１８）内に挿入され、かつ前記受けチューブ（１８）と共に前記保持器（１５）内を前記試料容器（８）の方向で移動させられかつ保持され、前記隔膜（６）が前記第２の針（２３）、および前記第１の針（２５）を用いて孔開けされ、
不活性ガスの流れが前記不活性ガス供給源から前記第２の針（２３）、前記試料容器（８）、前記第１の針（２５）、および前記試料チューブ（３３）内の前記充填材（３４）を通って導かれ、
前記試料チューブ（３３）が、検体の詰まった前記充填材（３４）と共に前記受けチューブ（１８）から取り外されることを特徴とする分析器用試料の準備方法。
【請求項２】
前記不活性ガスの流れが、前記第２の注入器の針（２３）を介するガス供給に代わってあるいはそれに加えて、前記試料容器８の底部にまでほぼ至るチューブ（４３）を備える別のガス供給を介して前記試料容器（８）の底部にまで至ることを特徴とする請求項１に記載の分析器用試料の準備方法。
【請求項３】
前記隔膜（６）に孔開けしたことにより、不活性ガス供給源から前記第２の針（２３）を介して試料容器（８）に導入された前記不活性ガスが、前記第１の注入器の針（２５）を介して前記試料チューブ（３３）に導入され、前記試料チューブ（３３）上に設置されるとともに取扱装置（４４）によって取り扱うことができる運搬用ヘッド（３６）を介して放出されることを特徴とする請求項１または２に記載の分析器用試料の準備方法。
【請求項４】
前記試料容器（８）が、サンプリングの前および／またはサンプリングの最中に、加熱装置による加熱および／または冷却装置による冷却がされることを特徴とする請求項１乃至３のうちいずれか一項に記載の分析器用試料の準備方法。
【請求項５】
前記試料が、サンプリングの前および／またはサンプリングの最中に混ぜられることを特徴とする請求項１乃至４のうちいずれか一項に記載の分析器用試料の準備方法。
【請求項６】
前記試料容器（８）が前記抽出位置あるいは一時的な準備位置で揺さぶられることを特徴とする請求項５に記載の分析器用試料の準備方法。
【請求項７】
前記試料容器（８）に入れられた試料が、交互に、一位置でサンプリングのために準備され、抽出が他方の位置で行われることを特徴とする請求項１乃至６のうちいずれか一項に記載の分析器用試料の準備方法。
【請求項８】
隔膜（６）を備える試料容器（８）からの分析器用試料を準備するためのサンプリングステーションであって、
抽出位置に配置された、試料容器（８）のための容器保持器（５）と、
両側部が開口するとともに検体を取り込むための充填材（３４）を有する試料チューブ（３３）用の受けチューブ（１８）のための保持器（１５）を備えたサンプラ（２）であって、前記抽出位置にある試料容器（８）の上を移動可能であるサンプラ（２）とを備え、
前記受けチューブ（１８）が、前記保持器（１５）内で導入可能かつ保持可能であると共に、前記受けチューブ（１８）から突き出すように前記受けチューブ（１８）の内側の開口部に沿った第１の注入器の針（２５）を担持し、かつ、前記受けチューブ（１８）は、前記受けチューブの保持器（１５）によって押し込み可能であると共に、前記受けチューブ（１８）に沿った第２の注入器の針（２３）は、前記試料チューブ（３３）に保持され、かつ不活性ガス供給源に連結され、前記受けチューブ（１８）が保持器（１５）内に保持されているときに前記保持器（１５）内の不活性ガス供給に流体連結していることを特徴とするサンプリングステーション。
【請求項９】
前記サンプラ（２）が、前記容器保持器（５）に対してスライド形をなして移動可能であることを特徴とする請求項８に記載のサンプリングステーション。
【請求項１０】
前記受けチューブ（１８）は、ばね（１９）に逆らって保持可能であることを特徴とする請求項８または９に記載のサンプリングステーション。
【請求項１１】
前記受けチューブ（１８）は、前記試料チューブ（３３）を用いて保持可能であることを特徴とする請求項１０に記載のサンプリングステーション。
【請求項１２】
前記受けチューブ（１８）が、前記受けチューブ（１８）の方向にばね付勢された、前記受けチューブ（１８）のための前記保持器（１５）のピストン（３０）にラッチング係合させることができる少なくとも１つのボール（３２）を担持することを特徴とする請求項８乃至１１のうちいずれか一項に記載のサンプリングステーション。
【請求項１３】
前記試料チューブ（３３）は、前記ラッチされたボール（３２）を用いて前記受けチューブ（１８）に押し込み可能であることを特徴とする請求項１２に記載のサンプリングステーション。
【請求項１４】
前記試料チューブ（３３）は、前記受けチューブ（１８）上に位置決めされた運搬用ヘッド（３６）を用いて前記受けチューブ（１８）に押し込み可能であることを特徴とする請求項１３に記載のサンプリングステーション。
【請求項１５】
前記試料チューブ（３３）のための前記運搬用ヘッド（３６）は、押し込んで前記受けチューブ（１８）とシーリング係合可能であることを特徴とする請求項１４に記載のサンプリングステーション。
【請求項１６】
前記運搬用ヘッド（３６）が、不活性ガス放出のための孔部（３８）を備えることを特徴とする請求項１５に記載のサンプリングステーション。
【請求項１７】
前記サンプラ（２）に対して、加熱装置による加熱および／または冷却装置による冷却を行うことを特徴とする請求項８乃至１６のうちいずれか一項に記載のサンプリングステーション。
【請求項１８】
さらなる容器保持器（５）が準備位置に配置されていることを特徴とする請求項８乃至１７のうちいずれか一項に記載のサンプリングステーション。
【請求項１９】
前記容器保持器（５）に対して、加熱装置による加熱および／または冷却装置による冷却を行うことを特徴とする請求項８乃至１８のうちいずれか一項に記載のサンプリングステーション。
【請求項２０】
前記試料を混合可能とする攪拌要素を有することを特徴とする請求項８乃至１９のうちいずれか一項に記載のサンプリングステーション。
【請求項２１】
前記容器保持器（５）が揺さぶり可能であることを特徴とする請求項２０に記載のサンプリングステーション。
【請求項２２】
前記容器保持器（５）が、上側の端部でカルダン方式で支持され、下側には偏心したドライブ（９、１０、１１）を有することを特徴とする請求項２１に記載のサンプリングステーション。
【発明の詳細な説明】
【技術分野】
【０００１】
本発明は、分析器用試料の準備方法および分析器用試料を準備するためのサンプリングステーションに関する。
【背景技術】
【０００２】
特許文献１は、互いに垂直である３つの軸に沿って移動可能であるグリッパを備え、そのグリッパを用いて例えば様々な注入器および運搬用ヘッドを備えた試料チューブなどの異なるサンプラをも取り扱うことができる分析器用の試料のための取扱装置を開示している。注入器は、そのピストンが移動することにより引き込まれる特定の容積を有する。したがってこれにより、その隔膜が注入器の針を用いて孔が開けられて、試料容器から所定の容積だけを取り込むことができる。特許文献１においては、この取扱装置を用いて、調査しようとする試料の物質を充填材上で濃縮するために充填材を介してより多くの容積をガイドすることは可能ではない。
【特許文献１】ドイツ特許第１０２１９７９０号明細書（ＤＥ１０２１９７９０Ｃ１）
【発明の開示】
【発明が解決しようとする課題】
【０００３】
本発明の目的は、分析器用試料の準備方法及び分析器用試料を準備するためのサンプリングステーションを提供することにあり、調査しようとする試料の物質を充填材上で濃縮するために、自動化された方式で、試料容器に導入された不活性ガスのより大きな容積を充填材を介して案内することを可能にしている。
【課題を解決するための手段】
【０００４】
上記課題を解決するために、本発明のうち請求項１に係る分析器用試料の準備方法は、分析器用試料の準備方法であって、
隔膜（６）を備える試料容器（８）が、サンプラ（２）を備えるサンプリングステーションの抽出位置に入れられ、
試料チューブ（３３）に対して、前記試料容器（８）の方向に移動可能かつ保持器（１５）の端部に保持可能な受けチューブ（１８）と、前記受けチューブ（１８）内で終端し、前記受けチューブ（１８）によって移動可能とされた第１の注入器の針（２５）と、前記試料チューブ（３３）に保持され、かつ不活性ガス供給源に連結され、前記受けチューブ（１８）と共に移動可能な第２の注入器の針（２３）とを有して、前記試料容器（８）の上を移動可能とされた前記サンプラ（２）を、抽出位置で前記試料容器（８）の上に配置し、
両側が開口していて、検体の取込みのための充填材（３４）が内部に配置されている前記試料チューブ（３３）が、前記受けチューブ（１８）内に挿入され、かつ前記受けチューブ（１８）と共に前記保持器（１５）内を前記試料容器（８）の方向で移動させられかつ保持され、前記隔膜（６）が前記第２の針（２３）、および前記第１の針（２５）を用いて孔開けされ、
不活性ガスの流れが前記不活性ガス供給源から前記第２の針（２３）、前記試料容器（８）、前記第１の針（２５）、および前記試料チューブ（３３）内の前記充填材（３４）を通って導かれ、
前記試料チューブ（３３）が、検体の詰まった前記充填材（３４）と共に前記受けチューブ（１８）から取り外されることを特徴としている。
【０００５】
本発明のうち請求項２に係る分析器用試料の準備方法は、請求項１に記載の分析器用試料の準備方法において、前記不活性ガスの流れが、前記第２の注入器の針（２３）を介するガス供給に代わってあるいはそれに加えて、前記試料容器８の底部にまでほぼ至るチューブ（４３）を備える別のガス供給を介して前記試料容器（８）の底部にまで至ることを特徴としている。
【０００６】
本発明のうち請求項３に係る分析器用試料の準備方法は、請求項１または２に記載の分析器用試料の準備方法において、前記隔膜（６）に孔開けしたことにより、不活性ガス供給源から前記第２の針（２３）を介して試料容器（８）に導入された前記不活性ガスが、前記第１の注入器の針（２５）を介して前記試料チューブ（３３）に導入され、前記試料チューブ（３３）上に設置されるとともに取扱装置（４４）によって取り扱うことができる運搬用ヘッド（３６）を介して放出されることを特徴としている。
【０００７】
本発明のうち請求項４に係る分析器用試料の準備方法は、請求項１乃至３のうちいずれか一項に記載の分析器用試料の準備方法において、前記試料容器（８）が、サンプリングの前および／またはサンプリングの最中に、加熱装置による加熱および／または冷却装置による冷却がされることを特徴としている。
本発明のうち請求項５に係る分析器用試料の準備方法は、請求項１乃至４のうちいずれか一項に記載の分析器用試料の準備方法において、前記試料が、サンプリングの前および／またはサンプリングの最中に混ぜられることを特徴としている。
【０００８】
本発明のうち請求項６に係る分析器用試料の準備方法は、請求項５に記載の分析器用試料の準備方法において、前記試料容器（８）が前記抽出位置あるいは一時的な準備位置で揺さぶられることを特徴としている。
本発明のうち請求項７に係る分析器用試料の準備方法は、請求項１乃至６のうちいずれか一項に記載の分析器用試料の準備方法において、前記試料容器（８）に入れられた試料が、交互に、一位置でサンプリングのために準備され、抽出が他方の位置で行われることを特徴としている。
【０００９】
本発明のうち請求項８に係る分析器用試料を準備するためのサンプリングステーションは、隔膜（６）を備える試料容器（８）からの分析器用試料を準備するためのサンプリングステーションであって、
抽出位置に配置された、試料容器（８）のための容器保持器（５）と、
両側部が開口するとともに検体を取り込むための充填材（３４）を有する試料チューブ（３３）用の受けチューブ（１８）のための保持器（１５）を備えたサンプラ（２）であって、前記抽出位置にある試料容器（８）の上を移動可能であるサンプラ（２）とを備え、
前記受けチューブ（１８）が、前記保持器（１５）内で導入可能かつ保持可能であると共に、前記受けチューブ（１８）から突き出すように前記受けチューブ（１８）の内側の開口部に沿った第１の注入器の針（２５）を担持し、かつ、前記受けチューブ（１８）は、前記受けチューブの保持器（１５）によって押し込み可能であると共に、前記受けチューブ（１８）に沿った第２の注入器の針（２３）は、前記試料チューブ（３３）に保持され、かつ不活性ガス供給源に連結され、前記受けチューブ（１８）が保持器（１５）内に保持されているときに前記保持器（１５）内の不活性ガス供給に流体連結していることを特徴としている。
【００１０】
本発明のうち請求項９に係る析器用試料を準備するためのサンプリングステーションは、請求項８に記載のサンプリングステーションにおいて、前記サンプラ（２）が、前記容器保持器（５）に対してスライド形をなして移動可能であることを特徴としている。
本発明のうち請求項１０に係る分析器用試料を準備するためのサンプリングステーションは、請求項８または９に記載のサンプリングステーションにおいて、前記受けチューブ（１８）は、ばね（１９）に逆らって保持可能であることを特徴としている。
【００１１】
本発明のうち請求項１１に係る分析器用試料を準備するためのサンプリングステーションは、請求項１０に記載のサンプリングステーションにおいて、前記受けチューブ（１８）は、前記試料チューブ（３３）を用いて保持可能であることを特徴としている。
【００１２】
本発明のうち請求項１２に係る分析器用試料を準備するためのサンプリングステーションは、請求項８乃至１１のうちいずれか一項に記載のサンプリングステーションにおいて、前記受けチューブ（１８）が、前記受けチューブ（１８）の方向にばね付勢された、前記受けチューブ（１８）のための前記保持器（１５）のピストン（３０）にラッチング係合させることができる少なくとも１つのボール（３２）を担持することを特徴としている。
【００１３】
本発明のうち請求項１３に係る分析器用試料を準備するためのサンプリングステーションは、請求項１２に記載のサンプリングステーションにおいて、前記試料チューブ（３３）は、前記ラッチされたボール（３２）を用いて前記受けチューブ（１８）に押し込み可能であることを特徴としている。
本発明のうち請求項１４に係る分析器用試料を準備するためのサンプリングステーションは、請求項１３に記載のサンプリングステーションにおいて、前記試料チューブ（３３）は、前記受けチューブ（１８）上に位置決めされた運搬用ヘッド（３６）を用いて前記受けチューブ（１８）に押し込み可能であることを特徴としている。
【００１４】
本発明のうち請求項１５に係る分析器用試料を準備するためのサンプリングステーションは、請求項１４に記載のサンプリングステーションにおいて、前記試料チューブ（３３）のための前記運搬用ヘッド（３６）は、押し込んで前記受けチューブ（１８）とシーリング係合可能であることを特徴としている。
本発明のうち請求項１６に係る分析器用試料を準備するためのサンプリングステーションは、請求項１５に記載のサンプリングステーションにおいて、前記運搬用ヘッド（３６）が、不活性ガス放出のための孔部（インレットボア）（３８）を備えることを特徴としている。
【００１５】
本発明のうち請求項１７に係る分析器用試料を準備するためのサンプリングステーションは、請求項８乃至１６のうちいずれか一項に記載のサンプリングステーションにおいて、前記サンプラ（２）に対して、加熱装置による加熱および／または冷却装置による冷却を行うことを特徴としている。
本発明のうち請求項１８に係る分析器用試料を準備するためのサンプリングステーションは、請求項８乃至１７のうちいずれか一項に記載のサンプリングステーションにおいて、さらなる容器保持器（５）が準備位置に配置されていることを特徴としている。
【００１６】
本発明のうち請求項１９に係る分析器用試料を準備するためのサンプリングステーションは、請求項８乃至１８のうちいずれか一項に記載のサンプリングステーションにおいて、前記容器保持器（５）に対して、加熱装置による加熱および／または冷却装置による冷却を行うことができることを特徴としている。
本発明のうち請求項２１に係る分析器用試料を準備するためのサンプリングステーションは、請求項８乃至１９のうちいずれか一項に記載のサンプリングステーションにおいて、前記試料を混合可能とする攪拌要素を有することを特徴としている。
【００１７】
本発明のうち請求項２１に係る分析器用試料を準備するためのサンプリングステーションは、請求項２０に記載のサンプリングステーションにおいて、前記容器保持器（５）が揺さぶり可能であることを特徴としている。
本発明のうち請求項２２に係る分析器用試料を準備するためのサンプリングステーションは、請求項２１に記載のサンプリングステーションにおいて、前記容器保持器（５）が、上側の端部でカルダン方式で支持され、下側には偏心したドライブ（９、１０、１１）を有することを特徴としている。
【発明の効果】
【００１８】
本発明に係る分析器用試料の準備方法及び分析器用試料を準備するためのサンプリングステーションによれば、調査しようとする試料の物質を充填材上で濃縮するために、自動化された方式で、試料容器に導入された不活性ガスのより大きな容積を充填材を介して案内することができる。
本発明のさらなる実施形態は、下記説明および従属請求項から明らかになろう。
本発明を添付図に図示された例示的実施形態を参考に、下記により詳細に説明する。
【発明を実施するための最良の形態】
【００１９】
図１乃至図３に図示するサンプリングステーションは、２つのサンプリング位置の間をレール４に沿ってローラ３を介して移動可能（または旋回可能、但し図示せず）であるスライド形をしたサンプラ２を備えたマウントまたはスタンド１を備えている。それらの１つの位置はその都度仮に準備位置として使用され他方は抽出位置として使用される。その都度サンプリング位置に位置決めされるのは、この実施形態では隔膜６を保持するキャップ７を備えるガラスビンである試料容器８を受けるためのトラフ状の容器保持器５である。
【００２０】
それぞれの試料容器８内にある試料は、サンプリング位置で揺さぶることができるようになされており好都合である。
この目的のため、液体の試料に対しては試料容器８が磁気攪拌要素を含み、一方それぞれのサンプリング位置では、攪拌要素の攪拌動作を生成するために交流磁界を生成する装置が、容器保持器５の下方に配置されるようになされることもある。かき混ぜまたは攪拌は超音波を用いて実施することもある。
【００２１】
容器保持器５の揺さぶりおよびその結果として、容器保持器５が受ける試料容器８内の試料を揺さぶることもある。この目的のために、容器保持器５は、その上側端部でカルダン方式で支持され、電気モータ９によって駆動されることができる。動作中、電気モータ９は、電気モータ９のシャフト上に偏心して配置されているボール１０を制御された速度で駆動するが、そのボール１０が容器保持器５の底部下方の中央にある中空ジャーナル１１に配置されている。容器保持器５はその上側端部がカルダン支持になっているので、ボール１０の偏心している配置を介して容器保持器５およびその結果として容器保持器５の中に設置されている試料容器８に回転旋回運動を与える。
【００２２】
カルダン支持は、互いに１８０°対向して配置されている２つの軸１３を介してスタンド１に装着され、その上に容器保持器５が、それに対して９０°オフセットしている２つのさらなる軸１３を介して装着されている上反りリング１２を介して生ずることができる。
サンプリングのためにできるだけ同一の温度条件を確保するために、例えば加熱用コイル１４のような形態の熱制御装置で、かつ適切な場合には例えば冷却コイル（図示せず）のような、それを通って冷却材が流れる冷却装置で容器保持器５を囲めば好都合のこともある。
【００２３】
サンプラ２は、垂直な保持チューブ１６を備える保持器１５を担持している。保持チューブ１６は、サンプラ２のオリフィス１７に挿入され、その結果、それぞれの試料容器８に向かって開口している。試料チューブ３３用の受けチューブ１８が保持チューブ１６に挿入される。保持チューブ１６内には、受けチューブ１８の下に配置され受けチューブ１８に上向きの負荷を与えるばね１９が設けられている。ばね１９は、保持チューブ１６の内側方向に向いている肩部上で支持されている。
【００２４】
保持チューブ１６は、その中央領域にガスインレット連結部２０を備えると共に、上側領域にガスアウトレット連結部２１を備えている。試料チューブ３３は、容器保持器５に向かう端部でインサート２２を担持している。インサート２２は、Ｏリングを介して密封的に挿入され、かつ幾分偏心して配置されている注入器の針２３（第２の針２３）を担持している。針２３のインレットオリフィスが受けチューブ１８の壁部におけるオリフィス（図示せず）に連結されている。
【００２５】
受けチューブ１８内でインサート２２の上に設置されているのは、さらなるインサート２４である。インサート２４は、中央に延びる注入器の針２５（第１の針２５）を担持している。針２５は、インサート２２を通して延びその上側オリフィスが受けチューブ１８内部に位置している。インサート２４は、Ｏリング２６を介して受けチューブ１８の内壁に対して密封されていて好都合である。Ｏリング２６の上には付加的な円錐型のばね２７が配置されている。
【００２６】
保持チューブ１６の上端には、受けチューブ１６を抽出位置において保持するためのラッチング装置２８が設けられている。このラッチング装置２８は、少なくとも２つの（対向する）又はより多くの（円周方向に配置された）スリーブ２９を備えている。スリーブ２９は、それぞれ、保持チューブ１６の内側に向けてばね付勢されたピストン３０を受容する。ピストン３０は、球形のセクタの形態のラッチ表面３１を有している。受けチューブ１８は、ラッチ表面３１にラッチすることができるボール３２をその上側端部で捕捉的に受けている。
【００２７】
分析器、例えばガスクロマトグラフを用いて分析しようとする試料を受容するために、試料チューブ３３が準備される。試料チューブ３３は、両側が開口すると共に、受けチューブ１８内に挿入可能となっている。また、試料チューブ３３は、分析しようとする検体のための吸着／吸収材料をもつ例えば多孔質の充填材３４を含んでいる。充填材３４は、試料チューブ３３の狭隘部３５によって保持される。試料チューブ３３の上に載っているのが、運搬用ヘッド３６である。運搬用ヘッド３６は、テーパ部分において２つのＯリング３７を担持している。Ｏリング３７は互いに相隔たって配置されており、そのＯリング３７によって運搬用ヘッド３６は受けチューブ１８に密封的に挿入される。外側に向かっているインレットボア３８はＯリング３７の間で開口している。さらに運搬用ヘッド３６はショルダ３９を備え、ボール３２がそのショルダ３９に接して位置することができるようになっている。
【００２８】
図１には、試料チューブ３３およびその運搬用ヘッド３６が受けチューブ１８に挿入されているが、その後、受けチューブ１８は、運搬用ヘッド３６を介して下向きに試料容器８の方向にばね１９の力に逆らって押圧される。その押圧は、図２に示すように、ボール３２がピストン３０のラッチング表面３１にラッチするまで行われる。この目的のために、ラッチング表面３１には、面取りした端部を設けるのが好適である。その結果、運搬用ヘッド３６が同時にボール３２により押されて受けチューブ１８に密封フィットされる。インレットボア３８およびその結果として試料チューブ３３の内部がそれによって同時にガスアウトレット連結部２１に連結される。さらに下向きの移動ゆえに試料容器８の隔膜６が２つの注入器の針２３、２５によってピアシングされ、さらに注入器の針２３がガスインレット連結部２０に連結される。
【００２９】
これでサンプリングを行うことができ、そこで不活性ガス供給源からの不活性ガスがガスインレット連結部２０を介して注入器の針２３ならびにそこから試料容器８に流れ込むように誘導され、その後充満した不活性ガスは検体を取り出すために注入器の針２５を通して充填材３４を通って試料チューブ３３に導かれ、インレットボア３８およびガスアウトレット連結部２１を介して試料チューブ３３から外部に導かれる。
【００３０】
保持チューブ１６および適切な場合には不活性ガスのための供給ライン（図示せず）も、何れの場所でも一定の温度を確保するため、かつその結果統一したガスの流れを確保するためにも加熱（図示せず）および／または冷却（ペルチェ素子４０およびファン４１）によって温度制御されることがある。
サンプリング位置では、それらサンプリング位置が一時的な準備位置あるいは抽出位置であっても、試料容器８は容器保持器５の動作によって揺さぶることができる。容器保持器５のカルダン支持によって注入器針２３、２５と隔膜６の間の負荷が非常に低くなる。前記のように適切である場合には試料は異なる方法で混ぜられることもある。
【００３１】
一方、一つのサンプリング位置では、そこにある試料は抽出に備えて調整され、他方のサンプリング位置では既に調整されてそこに設置された試料のサンプリングがサンプラ２を用いて実行され、続いてそのサンプラはそこでサンプリングを開始するために他のサンプリング位置に移動する。この場合調整および抽出時間が異なることもあるところで同一の調整時間および抽出時間を一連の試料について常に実行することができる。
【００３２】
適切な場合には、新たな中立位置がサンプラ２に対して設けられることもあり、その場合１つの位置は準備位置としてだけに使用され他方は抽出位置としてだけに使用され、調整後それぞれの試料容器８は、準備位置から出て抽出位置に転送される。
サンプリングの後、試料チューブ３３は、その運搬用ヘッド３６に係合するグリッパを用いて取り外され、そして、分析を目的として例えば分析器の熱脱離装置（ｔｈｅｒｍｏｄｅｓｏｒｐｔｉｏｎ  ｄｅｖｉｃｅ）に挿入することができる。
【００３３】
互いに直角である３つの軸に沿って移動可能であるグリッパを備え、それを用いて運搬用ヘッド３６を備える試料チューブ３３を取り扱うことができる取扱装置４４が特許文献１に説明されている。この場合取扱装置４４のグリッパが試料容器８を保持するために設計されていれば、あるいはグリッパが保持を目的として、例えば挿入された永久磁石を備えており、その永久磁石がその磁化可能なキャップ７を介して試料容器８を保持することができれば、磁化可能なキャップ７をもつ試料容器８でも取り扱うことができる。
【００３４】
手順は次いで下記の通りである：
試料容器８は、取扱装置４４によって試料容器８用のマガジンから取り出され、サンプリング位置（暫時準備位置として用いられる）にある容器保持器５に挿入される。試料容器８内にある試料はそこで熱的に制御されならびに／または揺さぶられる。
サンプラ２は、抽出のために準備された試料を有する試料容器８の上を動く（あるいはそれがスライドの代わりに旋回アーム上に配置されている場合には、旋回する）。
【００３５】
ここで、あるいは動作の前であっても、充填材３４を備え運搬用ヘッド３６を担持する試料チューブ３３は、試料チューブ３３用のマガジンから取扱装置４４を用いて取り出され、受けチューブ１８に挿入される。試料チューブ３３の下端はＯリング２６上にある。しかし抽出のための準備がされた試料を有する試料容器８の上の位置では、試料チューブ３３およびその結果として受けチューブ１８がばね１９の力に逆らって取扱装置４４によって下向きに押圧される。その押圧は、受けチューブ１８が保持チューブ１６にラッチしその結果保持さられるまでなされる。針２３、２５がそのときには試料容器８の隔膜６にピアシングし、針２５がその上端で、挿入された試料チューブ３３内に突出し、ガスのインレットおよび放出の条件がもたらされる。
【００３６】
次いで不活性ガスの流れが、不活性ガス供給源から針２３を介して試料容器８、針２５及び試料チューブ３３内の充填材３４を通って導かれる。これにより、試料容器８に含まれた試料から試料材料を抽出し、そして、その試料材料が充填材３４に移送される。
その後、検体の詰まった充填材３４とともに試料チューブ３３が、取扱装置４４を用いて、運搬用ヘッド３６を介して受けチューブ１８と共に引上げられる。これにより、受けチューブの保持が解除される。保持が解除されると、ばね１９が受けチューブ１８を上向きに、図１に示す初期位置に押し上げる。同時に、保持が解除されるので、ボール３２によって運搬用ヘッド３６の隣接するショルダ３９に及ぼされている圧力も除去され、したがってばね２７による元々からある補助の下に試料チューブ３３を受けチューブ１８から引き出すことができる。
【００３７】
続いてサンプラ２は、その他のサンプリング位置（その位置でさらなる試料がその間に既に調整されあるいは調整されつつある）に戻されるが、それは調整の終結後新しい試料チューブ３３を使用してそこでサンプリングを実施するためである。
それぞれの試料チューブ３３は、詰まった充填材３４と共に、適切な場合には、それまでに分析のための準備がされた試料を伴うマガジン内に中間貯蔵してから、取扱装置４４を用いて例えば分析器の熱脱離装置に運搬されることもある。
【００３８】
試料チューブ３３に別個に挿入される充填材３４に代わって、充填材３４は、試料チューブ３３の対応する内側コーティングによって形成されることもある。
従来形のガラス瓶の代わりに、非常に大きな容積の試料容器８、例えばリットル容器が使用された場合、注入器の針２３を介するガス供給に代わってあるいはそれに加えて、図４に示すように、試料容器８の底部にまでほぼ至るチューブ４３を備える別のガス供給４２を設け、それによってこのように供給された不活性ガスが実質的に容器の全高を通してほとばしることができるようにすると有利なこともある。
【００３９】
図４に示すような、このように大きなサイズの試料容器８は、ガラス瓶および試料チューブ３３のための取扱装置４４を用いて取り扱うことができないので、このような場合、図５及び図６に示すように、試料容器８を、そのときにその上に配置されているサンプラ２を用いて試料が抽出されるように所要の試料容器８をその都度抽出位置に回転移動させるターンテーブル４５上に配置すると好都合である。
【図面の簡単な説明】
【００４０】
【図１】サンプリングステーションの一実施形態を詳細な形で示した断面図である。
【図２】図１に示すサンプリングステーションを９０°回転させて見通す詳細な形で示した断面図である。
【図３】サンプリング中における図１に示すサンプリングステーションがサンプリング中の断面図である。
【図４】サンプラが特別な試料容器に用いられた場合の断面図である。
【図５】取扱装置およびサンプリングステーションを概略的に示す図である。
【図６】取扱装置およびサンプリングステーションを概略的に示す図である。
【符号の説明】
【００４１】
１  スタンド
２  サンプラ
３  ローラ
４  レール
５  容器保持器
６  隔膜
７  キャップ
８  試料容器
９  電気モータ（偏心したドライブ）
１０  ボール（偏心したドライブ）
１１  中空ジャーナル（偏心したドライブ）
１２  リング
１３  軸
１４  加熱用コイル
１５  保持器
１６  保持チューブ
１７  オリフィス
１８  受けチューブ
１９  ばね
２０  インレット連結部
２１  アウトレット連結部
２２  インサート
２３  注入器針
２４  インサート
２５  注入器針
２６  Ｏリング
２７  ばね
２８  ラッチング装置
２９  スリーブ
３０  ピストン
３１  ラッチ表面
３２  ボール
３３  試料チューブ
３４  充填材
３５  狭隘部
３６  運搬用ヘッド
３７  Ｏリング
３８  インレットボア
３９  ショルダ
４０  ペルチェ素子
４１  ファン
４２  ガス供給
４３  チューブ
４４  取扱装置
４５  ターンテーブル
【図１】
0004461134.tif 000002
【図２】
0004461134.tif 000003
【図３】
0004461134.tif 000004
【図４】
0004461134.tif 000005
【図５】
0004461134.tif 000006
【図６】
0004461134.tif 000007